(57)【要約】【課題】エレベータ昇降路に設置される機器を保守点検する際、ピットに保管しておける寸法の脚立は、機器の位置によっては高さが十分でないことがある。また、特に主要な機器については、その真正面に確実にアクセスできなければ保守点検の作業性が悪くなり、無理な姿勢で保守点検をしようとすれば危険でもある。【解決手段】エレベータのピット用はしご装置を、ピットの床１に固定されている支持部２と、支持部２に着脱自在に取り付けることができるはしご３を備えるものとする。エレベータのピットの床１に予めはしご３の支持部２を固定しておくことにより、必要な場所にはしご３を確実に立設することができる。【選択図】図２
2019081636.tif 000002
【特許請求の範囲】
【請求項１】
エレベータのピットの床に固定されている支持部と、
前記支持部に着脱自在に取り付けることができるはしごとを備える、
エレベータのピット用はしご装置。
【請求項２】
前記支持部は、
底部と、
一端を前記底部に回動自在に蝶着され、前記ピットの床と略平行に倒しておくことができる支柱を有し、
前記はしごは、前記支柱に着脱自在に取り付けることができる、
請求項１に記載のエレベータのピット用はしご装置。
【請求項３】
前記はしごの長手方向両端部、および前記支持部の上端には、互いの踏み桟部と嵌合する切り込みが設けられており、
前記切り込みを前記踏み桟部に嵌合することにより、前記はしごを前記支持部に取り付けることができる、
請求項１または２に記載のエレベータのピット用はしご装置。
【請求項４】
前記はしごを前記支持部に取り付ける場合に、
前記はしごと前記支持部に設けられた前記切り込みの長さが異なっている、
請求項３に記載のエレベータのピット用はしご装置。
【請求項５】
前記はしごは、長手方向に対称の形状である、
請求項１乃至４のいずれかに記載のエレベータのピット用はしご装置。
【請求項６】
前記はしごは、複数の単位はしごからなり、
前記単位はしご同士は着脱自在に組み立てることができる、
請求項１乃至５のいずれかに記載のエレベータのピット用はしご装置。
【請求項７】
前記単位はしごの長手方向両端部には、互いの踏み桟部と嵌合する切り込みが設けられており、
前記切り込みを前記踏み桟部に嵌合することにより、前記単位はしご同士を着脱自在に組み立てることができ、
かつ前記単位はしご同士に設けられた前記切り込みの長さが異なっている、
請求項６に記載のエレベータのピット用はしご装置。
【請求項８】
前記複数の単位はしごの少なくとも１個が、長手方向に対称の形状である、
請求項６または７のいずれかに記載のエレベータのピット用はしご装置。
【発明の詳細な説明】
【技術分野】
【０００１】
本発明は、エレベータの保守点検時、ピットの床から立設するためのはしご装置に関するものである。
【背景技術】
【０００２】
時代と共に、エレベータが建物内で占める部分は少なくすることが求められており、このために例えば、従来、機械室に設置されていた機器が昇降路内部に設置されることが行われている。
【０００３】
昇降路内部に機器を設置する場合は、保守点検時の作業性を考慮して昇降路底部に設置するのが一つの方法であるが、ピット内部の機器は冠水の危険性がある。よって、昇降路内部の主要な機器は、最下階の階床よりも上に設置されることが望ましい。
【０００４】
最下階の階床より上に設置された機器は、保守作業員（以下、作業員）がエレベータのピットに降りると手が届かないことがある。よって、保守点検時のみ機器にアクセスできる方法が必要である。例えば、はしごや脚立を使って機器に近い高さまで上がることが考えられる。下記特許文献１には、レールにはしごを固定する方法が紹介されている。
【先行技術文献】
【特許文献】
【０００５】
【特許文献１】実開平０４−０２４５７６号公報
【発明の概要】
【発明が解決しようとする課題】
【０００６】
エレベータのピットに保管しておける寸法の脚立は、機器の位置によっては高さが十分でないことがある。また、特に主要な機器（例えば制御盤等）については、その真正面に確実にアクセスできなければ保守作業性が悪くなり、無理な姿勢で保守をしようとすれば危険でもある。上記の特許文献１においては、はしごとレールの芯が一致する位置関係となるが、機器の多くはレールの横に設置されるため、はしごに上った作業員は横に身を乗り出して保守点検することになる。
【課題を解決するための手段】
【０００７】
本発明に係るエレベータのピット用はしご装置は、ピットの床に固定されている支持部と、前記支持部に着脱自在に取り付けることができるはしごとを備えるものである。
【０００８】
また、前記支持部は、底部と、一端を前記底部に回動自在に蝶着され、前記ピットの床と略平行に倒しておくことができる支柱を有し、前記はしごは、前記支柱に着脱自在に取り付けることができる、という構造でもよい。
【０００９】
また、前記はしごの長手方向両端部、および前記支持部の上端には、互いの踏み桟部と嵌合する切り込みが設けられており、前記切り込みを前記踏み桟部に嵌合することにより、前記はしごを前記支持部に取り付けることができる、という構造でもよい。
【００１０】
また、前記はしごを前記支持部に取り付ける場合に、前記はしごと前記支持部に設けられた前記切り込みの長さが異なっていてもよい。
【００１１】
また、前記はしごは、長手方向に対称の形状であってもよい。
【００１２】
また、前記はしごは、複数の単位はしごからなり、前記単位はしご同士は着脱自在に組み立てることができる、という構造でもよい。
【００１３】
また、前記単位はしごの長手方向両端部には、互いの踏み桟部と嵌合する切り込みが設けられており、前記切り込みを前記踏み桟部に嵌合することにより、前記単位はしご同士を着脱自在に組み立てることができ、かつ前記単位はしご同士に設けられた前記切り込みの長さが異なっていてもよい。
【００１４】
また、前記複数の単位はしごの少なくとも１個が、長手方向に対称の形状であってもよい。
【発明の効果】
【００１５】
エレベータのピットの床に予めはしごの支持部を固定しておくことにより、必要な場所にはしごを確実かつ簡単に立設することができる。さらに、はしごが不要な場合は、エレベータの運行や保守の妨げとならないようにはしごを取り外し、収納しておくことができる。
【図面の簡単な説明】
【００１６】
【図１】本発明におけるピット用はしご装置および周辺の概要図である。
【図２】図１の側面図である。
【図３】本発明の第１の実施例に係る正面図である。
【図４】本発明の第２の実施例に係る、支持部の正面図（開いたとき）である。
【図５】本発明の第２の実施例に係る、支持部の正面図（折り畳んだとき）である。
【図６】本発明の第２の実施例に係る、支持部の側面図である。
【図７】本発明の第２の実施例に係る、はしごの側面図である。
【図８】図６の支持部に図７のはしごを取り付けた図である。
【図９】図８のＸ−Ｘ断面図である。
【図１０】本発明の第３の実施例に係る側面図である。
【図１１】はしごの別の形態の例である。
【図１２】支持部の別の形態の例である。
【発明を実施するための形態】
【００１７】
以下、本発明の実施例を図に基づいて説明する。なお、各図面の寸法比と実際の寸法比とは、必ずしも一致していない。また、各図面の間での寸法比も、必ずしも一致していない。
【００１８】
図１および図２に、ピット用はしご装置およびその周辺の概要を示す。機器１０１は昇降路の壁１０２に固定されている。また、ピットの床１に支持部２が固定してあり、はしご３の下部を支持部２に取り付けている。はしご３の上部は昇降路の壁１０２に固定された作業台１０３と連結している。作業台１０３は作業員が機器１０１を保守しやすい位置に設置されており、作業台１０３に乗降しやすい位置にはしご３を立設できるように、支持部２の位置が決まる。機器１０１や作業台１０３はレール等に支持されていてもよい。はしご３は作業台１０３と互いに支え合っていてもよいし、別の方法で上部を支持されていてもよい。
【実施例１】
【００１９】
図３にはしごの詳細を示す。支持部２は、２本の支柱２１と底部２２より構成される。また、はしご３は、２本の支柱３１と複数の踏み桟３２より構成される。支持部２の支柱２１とはしご３の支柱３１を上下左右４か所の固定部４で固定（例：ボルト締結）することによって、はしご３が支持部２から外れて転倒することを防ぐことができる。
【実施例２】
【００２０】
図４および図５は、支持部２の支柱２１をピットの床１と略平行に倒しておくことができる構造とした場合の図である。前記の通り、支柱２１と支柱３１を上下左右４か所で固定するために、支柱２１にはある程度の長さが必要であるが、ピットの床１から突出している部分は保守点検や物品収納の邪魔になり、また作業員の転倒の原因となることがある。図４に示したように支柱２１と底部２２を支点２３にて互いに回動可能に連結しておき、はしご３を取り付けるとき以外は、図５に示したように支持部２を折り畳めば、支持部２の高さは底部２２の高さと同程度となるため、これらの欠点を大きく緩和することができる。
【００２１】
図６は、支持部２の支柱２１の上端部に切り込み２１Ａを設け、下寄りには踏み桟と同様の断面形状を有する突出部２１Ｂを設けた場合の図である。また、図７は、はしご３の支柱３１の両端部に、切り込み３１Ａを設けた場合の図である。さらに、はしご３の踏み桟３２は端部を支柱３１の外まで突出させておく。
【００２２】
図８および図９に示したように、切り込み２１Ａを踏み桟３２の突出部に、切り込み３１Ａを突出部２１Ｂに嵌合することにより、工具等を使用せずにはしご３を支持部２に取り付けることができる。
【００２３】
支持部２について、踏み桟で支柱２１同士を繋ぐのではなく、２本の支柱２１に突出部２１Ｂを個別に設けることによって、図５に示したように支柱２１を倒すことができる。また、突出部２１Ｂを踏み桟３２と同様の断面形状とすることにより、切り込み２１Ａと３１Ａも同様の形状とすることができる。
【００２４】
なお、本実施例は、図４および５に示したように、突出部２１Ｂを各支柱２１にそれぞれ設けた場合について説明したが、各支柱２１間をはしご３の踏み桟３２と同様の踏み桟によって連結し、はしご３の切り込み２１Ａと嵌合させてもよい。
【００２５】
また、はしご３についても、踏み桟３２よりも長手方向端部に近い位置に、支持部２の場合と同様、踏み桟３２と同様の断面形状を有する突出部を設け、切り込み２１Ａとの嵌合部としてもよい。これによって、はしご３と支持部２の重複部分を短くし、はしご３の軽量化を図ることができる。上記の通り、踏み桟と突出部は類似の形状であることが望ましいため、あわせて「踏み桟部」と称する。
【００２６】
はしご３は、複数の単位はしごに分割することにより、単位はしご同士を組み立てることができる。これにより、保守点検時に昇降路内の機器へのアクセスに必要な長さのはしご３を、使用しないときはピットの床１に寝かせたり、ピットの壁（図示せず）に吊り下げたりして収納可能な長さに分割することができる。単位はしご同士は端部を図７の形状にしてもよいし、別の方法で連結してもよい。嵌合による場合、前記の通り、単位はしごの嵌合部は踏み桟と別に設けてもよい。
【実施例３】
【００２７】
前記の支持部２およびはしご３の切り込み２１Ａ、３１Ａは、その長さを互いに異なるようにすると組み立て作業が容易になる。さらに、単位はしごの端部の切り込みについても同様である。２本の単位はしご５、６を連結する場合を例に取り、図１０に示す。単位はしご５は、２本の支柱５１および複数の踏み桟５２より構成されており、支柱５１の端部には切り込み５１Ａが設けられている。単位はしご６は、２本の支柱６１および複数の踏み桟６２より構成されており、支柱６１の端部には切り込み６１Ａが設けられている。切り込み６１Ａは切り込み５１Ａよりも長いものとする。はしご５には、踏み桟５２と類似の形状の突出部（図示せず）が設けられていてもよい。同様に、はしご６にも踏み桟６２と類似の形状の突出部（図示せず）が設けられていてもよい。
【００２８】
はしご同士を連結する際は、まず長い方の切り込み６１Ａに踏み桟５２を引掛け、後から短い方の切り込み５１Ａを踏み桟６２に引掛けて嵌合するという手順を踏む。はしごのような長い部品の中心付近（重心に近いところ）を手に持つと、手元から遠い端部を別の部品に合わせるのは難しい作業となるが、この構成により、上下左右４か所の位置合わせを同時にする必要がなくなり、さらに、先に上の２か所を引掛けると下の２か所の位置合わせが容易になる。切り込み６１Ａが切り込み５１Ａより短い場合は、引掛ける順序は逆になる。なお、踏み桟５２および踏み桟６２の代わりに上記の突出部を使用する形状としてもよい。
【００２９】
前記のはしご３は、長手方向に対称の形状とすることにより、上下の違いを考慮せずに組み立てることができる。これにより、一般的に作業スペースが小さく十分な照明設備がないこともあるピット内での作業性が向上する。はしご３を複数の単位はしごに分割する場合も、この単位はしごを長手方向に対称の形状とすれば、同様に作業性が向上する。
【００３０】
本発明は、その趣旨を逸脱しない範囲で当業者の知識に基づいて種々なる改良、修正、または変形を加えた様態でも実施できる。また、同一の作用または効果が生じる範囲内で、いずれかの発明特定事項を他の技術に置換した形態で実施してもよい。
【００３１】
各実施例におけるはしごは、支柱を左右に１本ずつ、２本持つものとして記載したが、左右それぞれの支柱は２またはそれ以上の部材を組み合わせた構造でもよい。例を図１１に示す。
【００３２】
各実施例におけるはしごおよび支持部において切り込みと嵌合する踏み桟部は、図では円柱形で表現したが、角柱などの別の形状でもよい。
【００３３】
各実施例におけるはしごおよび支持部の端部における切り込みの底部は、図では半円形で表現したが、角があるような形状でもよく、また必ずしも嵌合する踏み桟部と同様の形状でなくてもよい。
【００３４】
各実施例におけるはしごと支持部の組み立ては、図でははしごが支持部の内側に入り込む関係としたが、支持部がはしごの内側に入り込む関係でもよい。
【００３５】
各実施例におけるはしごと支持部は、嵌合のみで組み立てられるものとしたが、さらにボルト類で締結してもよい。また、ボルト締結のみで組み立ててもよい。
【００３６】
上記実施例における支持部は、図では内側に向かって折り畳める構造としたが、外側または、底部２２と直交する方向に倒しておける構造としてもよい。また、底部２２と直交する方向に倒す構造とする際には、図１２に例を示した通り、支持部の左右の支柱２１を連結部２４にてつなげた形状としてもよい。
【符号の説明】
【００３７】
１                      ピットの床
２                      支持部
２１                    （支持部の）支柱
２１Ａ                  切り込み
２１Ｂ                  突出部
２２                    （支持部の）底部
２３                    支点
２４                    連結部
３                      はしご
３１、５１、６１        （はしごの）支柱
３１Ａ、５１Ａ、６１Ａ  切り込み
３２、５２、６２        踏み桟
４                      固定部
５、６                  単位はしご
１０１                  機器
１０２                  昇降路の壁
１０３                  作業台
【図１】
2019081636.tif 000003
【図２】
2019081636.tif 000004
【図３】
2019081636.tif 000005
【図４】
2019081636.tif 000006
【図５】
2019081636.tif 000007
【図６】
2019081636.tif 000008
【図７】
2019081636.tif 000009
【図８】
2019081636.tif 000010
【図９】
2019081636.tif 000011
【図１０】
2019081636.tif 000012
【図１１】
2019081636.tif 000013
【図１２】
2019081636.tif 000014